(57)【特許請求の範囲】
【請求項１】
埋込型の配線器具の機能面を露出させる開口部を有し埋込穴の開口面側を覆う合成樹脂製のプレート枠本体と、開口部を挟んで対向するプレート枠本体の側枠片の一方に可撓自在に設けられ配線器具の両側に突設した係止片の一方が挿入係止される撓み片と、プレート枠本体の側枠片の他方に設けられ配線器具の他方の係止片が挿入係止される固定部と、プレート枠本体の側枠片の他方における配線器具との対向部位を開口部と反対側に凹設することによって形成され、配線器具を撓み片側に押圧することによって固定部と係止片との係止状態を解除するための治具の先端が挿入される治具挿入口とを備えて成ることを特徴とする配線器具用プレート。
【請求項２】
治具挿入口の開口部側の幅寸法よりも、開口部と反対側の幅寸法を狭くしたことを特徴とする請求項１記載の配線器具用プレート。
【請求項３】
一端部が治具挿入口の一方の開口端に連結され、他端部が治具挿入口の他方の開口端に向かって突出する可撓性を有する器具保護片を備えて成ることを特徴とする請求項１又は２記載の配線器具用プレート。
【請求項４】
器具保護片の厚みを先端側ほど小さくしたことを特徴とする請求項３記載の配線器具用プレート。
【請求項５】
治具挿入口の奧に、治具挿入口内に挿入された治具の先端部と当接する当接片を設けたことを特徴とする請求項１乃至４記載の配線器具用プレート。
【発明の詳細な説明】
【０００１】
【発明の属する技術分野】
本発明は、壁面等の造営面に設けた埋込孔に配線器具を配設するための配線器具用プレートに関するものである。
【０００２】
【従来の技術】
従来の配線器具用プレートの正面図を図１０に示す。また、この配線器具用プレートＡに配線器具Ｃを取り付ける方法の説明図を図１１に示す（特開平１１−２４３６１５号公報参照）。
【０００３】
この配線器具用プレートＡのプレート枠本体１は矩形枠状に形成されており、その中央部にはスイッチやコンセント等の配線器具Ｃの器体６０の機能面（スイッチの操作体が設けられた面やコンセントの差込み口が設けられた面）を前面側へ露出させるために矩形の開口部２が設けてある。この開口部２の周縁背面側には、開口部２の長手方向に沿って互いに対向するように帯状の固定梁部４並びに可動梁部５が設けてある。可動梁部５はプレート枠本体１の長手方向に沿った一対の側枠片３ａ，３ｂの一方の側枠片３ｂから離間し、且つ連結部６によりその両端において側枠片３ｂに一体に連結してある。
【０００４】
固定梁部４並びに可動梁部５の開口部２側の面には、配線器具Ｃの器体６０の両側面から一対ずつ突設された係止爪６１が係止する係止溝４ａ，５ａを各々３対ずつ設けてある。従って、配線器具Ｃの器体６０に設けた係止爪６１を各係止溝４ａ，５ａに係止することにより、器体６０の上記機能面を開口部２から露出させた状態でプレート枠本体１に配線器具Ｃの器体６０を取着することができる。
【０００５】
さらに固定梁部４には各係止溝４ａの間にプレート枠本体１の前面側から貫通する治具挿入口４ｃが穿設してあって、マイナスドライバや取外し専用の治具等の先端部分をこの治具挿入口４ｃに挿入し、治具の把持部を配線器具Ｃと反対側に倒し、治具の先端部分で器体６０を可動梁部５側へ押してやれば可動梁部５を撓ますことができ、固定梁部４側の係止溝４ａと器体６０の係止爪６１との係止を解いてプレート枠本体１から配線器具Ｃの器体６０を取り外すことができるようになっている。
【０００６】
【発明が解決しようとする課題】
上記構成の配線器具用プレートでは、配線器具用プレートＡから配線器具Ｃを取り外す際に、マイナスドライバや取外し専用の治具等の先端部分を治具挿入口４ｃに挿入し、治具の把持部を配線器具Ｃと反対側に倒すことによって、梃子の原理で器体６０を可動梁部５側に押し、器体６０を横にずらしながら、固定梁部４側の係止溝４ａと器体６０の係止爪６１との係止を解き、さらに器体６０を背面側に押圧する力を加えて、プレート枠本体１から配線器具Ｃの器体６０を取り外しているが、治具挿入口４ｃの幅が狭いために治具挿入口４ｃ内に挿入した治具を回転させたり、治具を奧まで押し込んだりすることができず、上述の方法でしか配線器具Ｃを取り外すことができなかった。また、治具挿入口４ｃに治具を挿入し、治具の把持部を配線器具Ｃと反対側に倒すことによって、治具の先端部分で配線器具Ｃの器体６０を可動梁部５側に押圧する場合は、治具の先端部分によって器体６０が可動梁部５側へ押圧されるとともに、前面側へも押圧されるから、この力に抗して器体６０を背面側へ押圧しなければならず、器体６０をプレート枠本体１から取り外すためにより大きな力が必要になっていた。
【０００７】
本発明は上記問題点に鑑みて為されたものであり、その目的とするところは、種々の方法で配線器具を取り外すことができ、且つ配線器具を取り外すのに必要な力を低減した配線器具用プレートを提供することにある。
【０００８】
【課題を解決するための手段】
上記目的を達成するために、請求項１の発明では、埋込型の配線器具の機能面を露出させる開口部を有し埋込穴の開口面側を覆う合成樹脂製のプレート枠本体と、開口部を挟んで対向するプレート枠本体の側枠片の一方に可撓自在に設けられ配線器具の両側に突設した係止片の一方が挿入係止される撓み片と、プレート枠本体の側枠片の他方に設けられ配線器具の他方の係止片が挿入係止される固定部と、プレート枠本体の側枠片の他方における配線器具との対向部位を開口部と反対側に凹設することによって形成され、配線器具を撓み片側に押圧することによって固定部と係止片との係止状態を解除するための治具の先端が挿入される治具挿入口とを備えて成ることを特徴とし、治具挿入口が開口部側に開放されているので、治具挿入口に挿入したマイナスドライバのような治具を動かせる範囲が広がり、治具を回転させたり、治具挿入口の奧にさらに押し込んだり、配線器具と反対側に倒したりすることによって、配線器具を撓み片側に押圧して係止片と固定部との係止を解くことができ、したがって治具を回転させる方法や、治具を治具挿入口内に押し込む方法や、治具を倒す方法で配線器具を取り外すことができる。また、治具を倒す方法で配線器具を取り外す場合は、配線器具を取り外し方向（背面方向）と反対側に押圧する力が配線器具に加わるため、この力に抗して配線器具を取り外し方向へ押圧しなければならないが、マイナスドライバのように先端部分にテーパ面が形成された治具を治具挿入口内に挿入し、さらに回転させて配線器具を取り外す場合は、治具を回転させることによって配線器具を取り外し方向に押圧する力が加わるので、より小さな力で配線器具を取り外すことができる。また更に、配線器具を取り外すのに必要な力が小さくて済むから、その分だけ撓み片を撓み難くして、配線器具の保持力を高めることもできる。
【０００９】
請求項２の発明では、請求項１の発明において、治具挿入口の開口部側の幅寸法よりも、開口部と反対側の幅寸法を狭くしたことを特徴とし、請求項１の発明の作用に加え、治具挿入口における開口部と反対側の幅寸法を狭くすることにより、側枠片の強度を高めて、プレート枠本体が破損するのを防止できる。
【００１０】
請求項３の発明では、請求項１又は２の発明において、一端部が治具挿入口の一方の開口端に連結され、他端部が治具挿入口の他方の開口端に向かって突出する可撓性を有する器具保護片を備えて成ることを特徴とし、請求項１又は２の発明の作用に加え、配線器具を取り外す際に治具挿入口内にマイナスドライバなどの治具を挿入した場合、配線器具と治具との間に器具保護片が介在し、治具が配線器具に直接接触しないため、治具によって配線器具が損傷するのを防止でき、しかも器具保護片は可撓性を有しているので、治具挿入口内に挿入された治具を回転させたり、治具を配線器具と反対側に倒したり、治具を押し込んだりすると、器具保護片が開口部側に撓んで配線器具を撓み片側に押圧することができ、請求項１の発明と同様に３通りの方法で配線器具を取り外すことができる。
【００１１】
請求項４の発明では、請求項３の発明において、器具保護片の厚みを先端側ほど小さくしたことを特徴とし、器具保護片が撓みやすくなり、治具挿入口内に挿入された治具を容易に回転させることができる。
【００１２】
請求項５の発明では、請求項１乃至４の発明において、治具挿入口の奧に、治具挿入口内に挿入された治具の先端部と当接する当接片を設けたことを特徴とし、請求項１乃至４の発明の作用に加え、治具挿入口内に治具を挿入すると、治具の先端が当接片と当接して、治具の先端がプレート枠本体の裏面側に突き抜けるのを防止でき、裏面側に突き抜けた治具によって作業者が怪我をするのを防止できる。
【００１３】
【発明の実施の形態】
本発明の実施の形態を図面を参照して説明する。
【００１４】
（実施形態１）
本発明の実施形態１を図１乃至図６を参照して説明する。本実施形態の配線器具用プレートＡのプレート枠本体１は絶縁性を有する合成樹脂（ＡＢＳ樹脂のような熱可塑性樹脂又は弾性を有する熱硬化性樹脂）により各部材が一体に矩形枠状に形成されており、その中央部にはスイッチやコンセント等の配線器具Ｃの器体６０の機能面を前面側へ露出させるために矩形の開口部２が設けてある。この開口部２の周縁背面側には、開口部２の長手方向に沿って互いに対向するように帯状の固定梁部４並びに可動梁部５が設けてある。可動梁部５はプレート枠本体１の長手方向に沿った一対の側枠片３ａ，３ｂの一方の側枠片３ｂから離間し、且つ連結部６によりその両端において側枠片３ｂに一体に連結してある。ここで、可動梁部５並びに連結部６を含めてプレート枠本体１を形成している合成樹脂は可撓性材料であり、プレート枠本体１に対して可動梁部５並びに連結部６がそれぞれ撓み自在となっている。
【００１５】
また、側枠片３ｂから一体に延設された幅狭の一対のリブ７によって可動梁部５が支持されており、可動梁部５と側枠片３ｂとの間にできる隙間が上記リブ７によって３つの部分（以下、各部分をスリット８ａ〜８ｃと呼ぶ。）に分割されることになる。このうち、両側のスリット８ａ，８ｃは外側端部が連結部６の方へ屈曲させてある。さらに側枠片３ｂの各リブ７近傍の部位には、可動梁部５を撓み易くさせるために長孔状の溝９が一対設けてある。
【００１６】
一方、固定部たる固定梁部４の開口部２側の面と、撓み片たる可動梁部５の開口部２側の面とには、配線器具Ｃの器体６０の両側面から一対ずつ突設された係止片たる係止爪６１が係止する係止溝４ａ，５ａを各々３対ずつ設けてある。従って、図１１（ｂ）に示すように配線器具Ｃの器体６０に設けた係止爪６１を各係止溝４ａ，５ａに係止することにより、器体６０の上記機能面を開口部２から露出させた状態でプレート枠本体１に配線器具Ｃの器体６０を取着することができる。ここで固定梁部４並びに可動梁部５の先端部分には、配線器具Ｃの係止爪６１をプレート枠本体１の背面側から係止溝４ａ，５ａに係止する際に、各係止爪６１を係止溝４ａ，５ａにガイドするため、各々外側に向けて傾斜したテーパ面を有するガイド部４ｂ，５ｂが設けてある。すなわち、図１１（ａ）（ｂ）に示すように配線器具用プレートＡに配線器具Ｃを取り付ける際に、係止爪６１をガイド部４ｂ，５ｂのテーパ面に当接した状態で配線器具Ｃの器体６０をプレート枠本体１の背面側から前面側に押し込めば、係止爪６１がガイド部４ｂ，５ｂのテーパ面に沿って移動することにより、ガイド部４ｂ，５ｂにガイドされてスムーズに係止溝４ａ，５ａに係止することができるものである。
【００１７】
また、固定梁部４並びに可動梁部５の基部とプレート枠本体１の開口部２の端縁との間には、係止爪６１を各係止溝４ａ，５ａに係止させた状態で配線器具Ｃの器体６０の前面側の一部に当接する当接部４ｄ，５ｄが設けてある。このため、配線器具用プレートＡに取り付けた状態で配線器具Ｃの器体６０に配線器具用プレートＡの前面方向へ力が加わった場合に、器体６０が前面側へ移動するのを当接部４ｄ，５ｄによって規制することができる。同様に、配線器具Ｃの器体６０に配線器具用プレートＡの背面方向へ力が加わった場合には、係止爪６１と係止溝４ａ，５ａとが当接しているために器体６０の移動が規制できる。しかもプレート枠本体１の可動梁部５と側枠片３ｂとを連結している連結部６は、スリット８ａ，８ｃの外側端部が屈曲して形成されていることで薄肉になっており、その結果配線器具Ｃの器体６０に前面側から背面方向への強い押圧力が加えられたときに可動梁部５が開口部２側へ倒れるように撓むので、可動梁部５の係止溝５ａから配線器具Ｃの器体６０に設けた係止爪６１が外れることがなく、配線器具用プレートＡからの配線器具Ｃの脱落を防止することができる。
【００１８】
さらに固定梁部４には、配線器具Ｃとの対向部位であって各係止溝４ａの間の部位を開口部２と反対側に凹設することによってマイナスドライバや取外し専用の治具等の先端部分が挿入される治具挿入口４ｃを設けてある。ここで、従来例で説明した配線器具用プレートＡでは、治具挿入口４ｃと開口部２との間にリブ１８を設けているが、本実施形態では治具挿入口４ｃと開口部２との間のリブ１８を無くしており、治具挿入口４ｃと開口部２とを連通している。
【００１９】
このように、本実施形態の配線器具用プレートＡでは治具挿入口４ｃと開口部２との間にあったリブ１８を無くしているので、治具挿入口４ｃ内に挿入した治具を動かせる範囲が広がり、図３（ａ）に示すように、治具挿入口４ｃに先端部分が挿入されたマイナスドライバ７０を回転させることができる。したがって、治具挿入口４ｃに先端部を挿入したマイナスドライバ７０を回転させ（矢印▲１▼）、マイナスドライバ７０の先端部分で配線器具Ｃの器体６０を可動梁部５側に押圧して、固定梁部４の係止溝４ａと器体６０の係止爪６１との係止を解き、さらに器体６０を背面方向へ押圧する力を加えることによって（矢印▲２▼）、配線器具Ｃを配線器具用プレートＡから取り外すことができる。
【００２０】
ところで、治具挿入口４ｃ内に先端部分が挿入されたマイナスドライバ７０を回転させると、マイナスドライバ７０の先端部分によって器体６０を同図中左側に押圧する力Ｆ１が発生し、また同時にマイナスドライバ７０の先端部分に形成されたテーパ７１によって器体６０を同図中下方に押圧する力Ｆ２が発生するので（図３（ｂ）参照）、マイナスドライバ７０を配線器具Ｃと反対側に倒すことによって配線器具Ｃを取り外す場合のように配線器具Ｃを前面側に押圧する力が発生しないから、より小さな力で配線器具Ｃを背面側に押圧することができ、取り外しに必要な力を低減できる。また、マイナスドライバ７０を回転させる方法では、マイナスドライバ７０を倒す方法に比べて、器体６０やプレート枠本体１が撓みにくく、その分だけ配線器具Ｃを取り外す際に器体６０を変位させる量が少なくて済むから、より小さな力で配線器具Ｃを背面側に押圧することができる。
【００２１】
このようにマイナスドライバ７０を回転させる方法で配線器具Ｃを取り外す場合は、従来の方法（マイナスドライバ７０を配線器具Ｃと反対側に倒す方法）に比べてより小さな力で配線器具Ｃを取り外すことができるから、その分だけ可動梁部５を撓みにくくして、配線器具Ｃの保持力を高めることができ、配線器具Ｃに荷重や衝撃が加わった際に配線器具Ｃが外れにくくなる。また、可動梁部５を撓みにくくすることによって、プレート枠本体１の剛性が高くなるから、ボックスねじを用いてプレート枠本体１を造営面にねじ止めする際に、ボックスねじの締め付け力によってプレート枠本体１が反るのを防止できる。尚、配線器具Ｃを配線器具用プレートＡから取り外す際に、マイナスドライバ７０が配線器具Ｃの器体６０と当接するため、マイナスドライバ７０によって器体６０に傷がつかないよう、器体６０の材料としてはユリア樹脂のような硬い材料を用いるのが好ましい。
【００２２】
また、図４に示すように、治具挿入口４ｃ内にマイナスドライバ７０の先端部分を挿入し、マイナスドライバ７０を配線器具Ｃと反対側に倒すことによって（矢印▲１▼）、梃子の原理で配線器具Ｃを可動梁部５側に押圧した後、器体６０を背面方向に押圧する力を加えることによって（矢印▲２▼）、器体６０をプレート枠本体１から取り外すことができ、従来の配線器具用プレートＡと同様の方法で配線器具Ｃを取り外すこともできる。
【００２３】
また、図５に示すように、プレート枠本体１の前面側から治具挿入口４ｃ内にマイナスドライバ７０の先端部分を挿入した後、マイナスドライバ７０を治具挿入口４ｃ内にさらに押し込むと（矢印▲１▼）、マイナスドライバ７０の先端部にはテーパ７１が形成されているので、治具挿入口４ｃ内に挿入されるマイナスドライバ７０の部位の厚みが徐々に厚くなって、配線器具Ｃの器体６０が可動梁部５側に押圧され、この状態で配線器具Ｃの器体６０を後方に押圧すると（矢印▲２▼）、係止溝４ａと係止爪６１との係止が解除され、配線器具Ｃを配線器具用プレートＡから取り外すこともできる。
【００２４】
なお本実施形態では、プレート枠本体１の長手方向に沿う治具挿入口４ａの幅寸法を開口部側と反対側とで略同じ寸法に形成しているが、図６に示すように、開口部側の幅寸法Ｗ１に比べて反対側の幅寸法Ｗ２を狭くしても良く、治具挿入口４ｃの周りの部位の強度を高めて、配線器具Ｃの取り外し時にプレート枠本体１が破損するのを防止できる。
【００２５】
ところで、開口部２の寸法は、図１３に示す配線器具Ｃの寸法を基準寸法（以下、この寸法を「１個モジュール寸法」と呼ぶ。）としたときに、この１個モジュール寸法の配線器具Ｃを短幅方向に３個並べて取り付けることのできる寸法（以下、「３個モジュール対応寸法」と呼ぶ。）に設定されている。なお、上記１個モジュール寸法は適当な値に設定すればよく、このようなモジュール寸法に適合した配線器具であれば、共通に配線器具用プレートＡに取り付けることができるものである。
【００２６】
また、プレート枠本体１の長手方向に対向する両側片１０には各々凹所１１が形成してある。各凹所１１には、プレート枠本体１を埋込ボックス（図示せず）に取り付けるためのボックスねじを挿通する略長円形のボックスねじ挿通孔１２と、プレート枠本体１を壁面等の造営面に直付けするためのねじが挿通されるねじ挿通孔１３とが設けてある。
【００２７】
また、プレート枠本体１の四隅には、図１２に示すような化粧プレートＢのプレート本体５０背面から突設した係止突起（図示せず）を係止する化粧プレート係止孔１５が設けてあり、これらの化粧プレート係止孔１５に係止突起を挿入係止することでプレート枠本体１の前面側に化粧プレートＢを着脱自在に取り付けることができるようになっている。
【００２８】
化粧プレートＢのプレート本体５０は、絶縁性を有する合成樹脂（ＡＢＳ樹脂のような熱可塑性樹脂又は弾性を有する熱硬化性樹脂）により、配線器具用プレートＡの前面を覆う矩形の主部５１と、主部５１の全周縁から背面側に突出する側壁５２とを一体に形成した略箱形としてあり、上記係止突起は主部５１の背面側の四隅に突設してある。また主部５１の略中央には、配線器具用プレートＡに取り付けた配線器具Ｃの機能面を露出する窓孔５１ａが設けてある。ここで、プレート本体５０の対向する側壁５２間の幅寸法がプレート枠本体１の各幅寸法よりも大きくしてある。すなわち、造営面に配設した配線器具用プレートＡの前面側に化粧プレートＢを取着したとき、プレート枠本体１が化粧プレートＢのプレート本体５０の内側に収まり、プレート本体５０の側壁５２の先端縁が造営面にほぼ当接することになる。その結果、配線器具用プレートＡと化粧プレートＢとの突き合わせ面が造営面よりも前方へ出ることがなく、両者の突き合わせの線が側面からはほとんど見えないようにして見栄えを良くすることができる。
【００２９】
プレート本体５０の長手方向に沿った一方の側壁５２には一対の切欠部５６が設けてあり、この切欠部５６に治具（マイナスドライバの先端等）を差し込んでプレート本体５０に前面側への力を加えることにより、プレート本体５０の係止突起とプレート枠本体１の化粧プレート係止孔１５との係止を解除し、化粧プレートＢをプレート枠本体１から取り外すことができるようにしてある。ここで、プレート枠本体１の側枠片３ｂの切欠部５６に対応する位置にはテーパ面３ｃよりも内側へ窪んだ逃がし部１６が設けてあり、切欠部５６に差し込まれた治具を逃がすことで奥まで挿入でき、化粧プレートＢを取り外す際に力が加え易くしてある。さらに、逃がし部１６の背面側端部からは薄肉の突片１７が、化粧プレートＢの切欠部５６から突出しない程度まで延設してある。すなわち、切欠部５６に差し込んだ治具に造営面に当接する部分を支点として力を加えることで造営面に傷が付く虞があるが、突片１７を設けることで切欠部５６に差し込んだ治具が突片１７に当接することになり、化粧プレートＢを配線器具用プレートＡから取り外す際に治具によって造営面に傷が付くのを防ぐことができる。
【００３０】
またプレート本体５０の背面側には、配線器具用プレートＡに取着したときにプレート枠本体１に設けた３つのスリット８ａ〜８ｃにそれぞれ嵌入される突条片５８ａ〜５８ｃが列設してある。ここで、各突条片５８ａ〜５８ｃの寸法は、プレート枠本体１の各スリット８ａ〜８ｃに嵌入された状態で、スリット８ａ〜８ｃの内周面と各突条片５８ａ〜５８ｃとの間に僅かな隙間しか生じないような寸法に設定してある。すなわち、配線器具Ｃを取り付けた配線器具用プレートＡに化粧プレートＢを取着した状態では、３つの突条片５８ａ〜５８ｃがプレート枠本体１の各スリット８ａ〜８ｃに嵌入され、スリット８ａ〜８ｃの内周面と各突条片５８ａ〜５８ｃとの間には僅かな隙間しか生じないことから、プレート枠本体１の可動梁部５の動き（撓み）が規制されることになる。その結果、配線器具Ｃとしてコンセントを使用しているときにコンセントに差し込まれたプラグを異常に大きな力で引き抜く等の衝撃が加えられた場合でも、上記の如く可動梁部５の動きが規制されているために配線器具Ｃの係止爪６１と可動梁部５及び固定梁部４の係止溝５ａ，４ａとの係止が外れ難くなるものである。
【００３１】
（実施形態２）
本発明の実施形態２を図７を参照して説明する。本実施形態では、実施形態１の配線器具用プレートＡにおいて、一端部が治具挿入口４ｃの一方の開口端に連結され、他端部が治具挿入口４ｃの他方の開口端に向かって突出する可撓性を有する器具保護片１９を設けている。尚、器具保護片１９以外の構成は実施形態１と同様であるので、同一の構成要素には同一の符号を付して、その説明は省略する。
【００３２】
上述のように本実施形態では、治具挿入口４ｃの開口端に器具保護片１９を設けており、器具保護片１９が開口部２と治具挿入口４ｃとの間に配置されるので、配線器具Ｃを取り外す際に治具挿入口４ｃ内にマイナスドライバなどの治具を挿入した場合、配線器具Ｃと治具との間に器具保護片１９が介在し、治具が配線器具Ｃに直接接触しないため、治具によって配線器具Ｃが損傷するのを防止できる。また、器具保護片１９は可撓性を有しているので、治具挿入口４ｃ内に挿入された治具を回転させたり、治具を配線器具Ｃと反対側に倒したり、治具を押し込んだりすると、器具保護片１９が開口部２側に撓んで配線器具Ｃを可動梁部５側に押圧するから、実施形態１と同様に３通りの方法で配線器具Ｃを取り外すことができる。尚、器具保護片１９の厚みは先端ほど小さくしており、撓みやすくなっているので、治具挿入口４ｃ内に挿入された治具を容易に回転させることができる。
【００３３】
（実施形態３）
本発明の実施形態２を図８及び図９を参照して説明する。本実施形態では、実施形態１の配線器具用プレートＡにおいて、治具挿入口４ｃの奧に、治具挿入口４ｃ内に挿入された治具の先端部と当接する当接片２０を設けている。尚、当接片２０以外の構成は実施形態１と同様であるので、同一の構成要素には同一の符号を付して、その説明は省略する。
【００３４】
上述のように本実施形態では、治具挿入口４ｃの奧に当接片２０を設けているので、図９に示すように治具挿入口４ｃ内にマイナスドライバ７０を挿入すると、マイナスドライバ７０の先端が当接片２０と当接して、マイナスドライバ７０がプレート枠本体１の裏面側に突き抜けるのを防止でき、裏面側に突き抜けたマイナスドライバ７０によって作業者が怪我をするのを防止できる。
【００３５】
尚、本実施形態では実施形態１で説明した配線器具用プレートＡにおいて治具挿入口４ｃの奧に当接片２０を設けているが、実施形態２で説明した配線器具用プレートＡにおいて治具挿入口４ｃの奧に当接片２０を設けても良いことは言うまでもない。
【００３６】
【発明の効果】
上述のように、請求項１の発明は、埋込型の配線器具の機能面を露出させる開口部を有し埋込穴の開口面側を覆う合成樹脂製のプレート枠本体と、開口部を挟んで対向するプレート枠本体の側枠片の一方に可撓自在に設けられ配線器具の両側に突設した係止片の一方が挿入係止される撓み片と、プレート枠本体の側枠片の他方に設けられ配線器具の他方の係止片が挿入係止される固定部と、プレート枠本体の側枠片の他方における配線器具との対向部位を開口部と反対側に凹設することによって形成され、配線器具を撓み片側に押圧することによって固定部と係止片との係止状態を解除するための治具の先端が挿入される治具挿入口とを備えて成ることを特徴とし、治具挿入口が開口部側に開放されているので、治具挿入口に挿入したマイナスドライバのような治具を動かせる範囲が広がり、治具を回転させたり、治具挿入口の奧にさらに押し込んだり、配線器具と反対側に倒したりすることによって、配線器具を撓み片側に押圧して係止片と固定部との係止を解くことができ、したがって治具を回転させる方法や、治具を治具挿入口内に押し込む方法や、治具を倒す方法で配線器具を取り外すことができるという効果がある。また、治具を倒す方法で配線器具を取り外す場合は、配線器具を取り外し方向と反対側に押圧する力が配線器具に加わるため、この力に抗して配線器具を取り外し方向へ押圧しなければならないが、マイナスドライバのように先端部分にテーパ面が形成された治具を治具挿入口内に挿入し、さらに回転させて配線器具を取り外す場合は、治具を回転させることによって配線器具を取り外し方向に押圧する力が加わるので、より小さな力で配線器具を取り外すことができるという効果もある。また更に、配線器具を取り外すのに必要な力が小さくて済むから、その分だけ撓み片を撓み難くして、配線器具の保持力を高めることもできる。
【００３７】
請求項２の発明は、請求項１の発明において、治具挿入口の開口部側の幅寸法よりも、開口部と反対側の幅寸法を狭くしたことを特徴とし、請求項１の発明の効果に加え、治具挿入口における開口部と反対側の幅寸法を狭くすることにより、側枠片の強度を高めて、プレート枠本体が破損するのを防止できるという効果がある。
【００３８】
請求項３の発明は、請求項１又は２の発明において、一端部が治具挿入口の一方の開口端に連結され、他端部が治具挿入口の他方の開口端に向かって突出する可撓性を有する器具保護片を備えて成ることを特徴とし、請求項１又は２の発明の効果に加え、配線器具を取り外す際に治具挿入口内にマイナスドライバなどの治具を挿入した場合、配線器具と治具との間に器具保護片が介在し、治具が配線器具に直接接触しないため、治具によって配線器具が損傷するのを防止でき、しかも器具保護片は可撓性を有しているので、治具挿入口内に挿入された治具を回転させたり、治具を配線器具と反対側に倒したり、治具を押し込んだりすると、器具保護片が開口部側に撓んで配線器具を撓み片側に押圧することができ、請求項１の発明と同様に３通りの方法で配線器具を取り外すことができるという効果がある。
【００３９】
請求項４の発明は、請求項３の発明において、器具保護片の厚みを先端側ほど小さくしたことを特徴とし、器具保護片が撓みやすくなり、治具挿入口内に挿入された治具を容易に回転させることができるという効果がある。
【００４０】
請求項５の発明は、請求項１乃至４の発明において、治具挿入口の奧に、治具挿入口内に挿入された治具の先端部と当接する当接片を設けたことを特徴とし、請求項１乃至４の発明の効果に加え、治具挿入口内に治具を挿入すると、治具の先端が当接片と当接して、治具の先端がプレート枠本体の裏面側に突き抜けるのを防止でき、裏面側に突き抜けた治具によって作業者が怪我をするのを防止できるという効果がある。
【図面の簡単な説明】
【図１】本実施形態の配線器具用プレートの正面図である。
【図２】同上の断面図である。
【図３】（ａ）（ｂ）は同上から配線器具を取り外す方法を説明する説明図である。
【図４】同上から配線器具を取り外す別の方法を説明する説明図である。
【図５】同上から配線器具を取り外すまた別の方法を説明する説明図である。
【図６】同上の別の配線器具用プレートを示す要部拡大図である。
【図７】実施形態２の配線器具用プレートを示す要部拡大図である。
【図８】実施形態３の配線器具用プレートを示し、（ａ）は要部拡大図、（ｂ）は断面図である。
【図９】同上から配線器具を取り外す方法を説明する説明図である。
【図１０】従来の配線器具用プレートの正面図である。
【図１１】（ａ）（ｂ）は同上に配線器具を取り付ける方法を説明する説明図である。
【図１２】配線器具用プレートに取り付けられる化粧プレートを前面側から見た斜視図である。
【図１３】配線器具用プレートに取り付けられる埋込型の配線器具の外観斜視図である。
【符号の説明】
Ａ  配線器具用プレート
１  プレート枠本体
２  開口部
３ａ，３ｂ  側枠片
４  固定梁部
４ｃ  治具挿入口
５  可動梁部
【図１】
0003632613.tif 000002
【図２】
0003632613.tif 000003
【図３】
0003632613.tif 000004
【図４】
0003632613.tif 000005
【図５】
0003632613.tif 000006
【図６】
0003632613.tif 000007
【図７】
0003632613.tif 000008
【図８】
0003632613.tif 000009
【図９】
0003632613.tif 000010
【図１０】
0003632613.tif 000011
【図１１】
0003632613.tif 000012
【図１２】
0003632613.tif 000013
【図１３】
0003632613.tif 000014